【手続補正書】
【提出日】平成20年9月17日(2008.9.17)
【手続補正１】
【補正対象書類名】特許請求の範囲
【補正対象項目名】全文
【補正方法】変更
【補正の内容】
【特許請求の範囲】
【請求項１】
ホストＣＰＵと、
第１送受信手段と、
第２送受信手段と、
前記第１送受信手段と前記ホストＣＰＵの間で、Ｅｔｈｅｒフレームのデータ送受信する第１のインタフェース手段と、
前記ホストＣＰＵから前記第２送受信手段に対して、少なくともＴＣＰの接続要求命令を送信する第２のインタフェース手段と、を備え、
前記第１送受信手段と前記第２送受信手段は、同一伝送路上に対してデータ送受信を行い、
前記第２送受信手段は、前記ＴＣＰの接続要求命令に従って、前記伝送路に接続された別の機器に対してＴＣＰ／ＩＰプロトコルで規定された手順で接続を行う、送受信装置。
【請求項２】
ホストＣＰＵと、
第１送受信手段と、
第２送受信手段と、
前記第１送受信手段と前記ホストＣＰＵの間で、Ｅｔｈｅｒフレームのデータ送受信する第１のインタフェース手段と、
前記ホストＣＰＵから前記第２送受信手段に対して、少なくともＴＣＰの接続待機命令を送信する第２のインタフェース手段と、を備え、
前記第１送受信手段と前記第２送受信手段は同一伝送路上のデータ送受信を行い、
前記第２送受信手段は、前記ＴＣＰの接続待機命令に従って、前記伝送路に接続された別の機器に対してＴＣＰ／ＩＰプロトコルで規定された手順で接続が可能なように待機する状態に遷移する機能を備えた、送受信装置。
【請求項３】
前記第１送受信手段と前記第２送受信手段とは別の第３送受信手段をさらに備え、
前記第３送受信手段は、
前記第１送受信手段と前記第２送受信手段と前記同一伝送路上のデータ送受信を行う機能を備えると共に、
前記ホストＣＰＵとは、第３のインタフェース手段で接続され、
少なくともＴＣＰ／ＩＰプロトコルに従ったＡＣＫパケットを送信する機能を備えた、請求項１記載の送受信装置。
【請求項４】
前記第１送受信手段と前記第２送受信手段とは別の第３送受信手段をさらに備え、
前記第３送受信手段は、
前記第１送受信手段と前記第２送受信手段と前記同一伝送路上のデータ送受信を行う機能を備えると共に、
前記ホストＣＰＵとは、第３のインタフェース手段で接続され、
少なくとも、前記同一伝送路上に接続された前記別の機器から送信されてくるＡＣＫパケットを受信し、ＴＣＰ／ＩＰプロトコルに準拠したフロー制御を実施してデータを送信する機能を備えた、請求項２記載の送受信装置。
【請求項５】
第１送受信手段とホストＣＰＵの間で、Ｅｔｈｅｒフレームのデータ送受信し、
前記ホストＣＰＵから第２送受信手段に対して、少なくともＴＣＰの接続要求命令を送信し、
前記第１送受信手段と前記第２送受信手段は、同一伝送路上に対してデータ送受信を行い、
前記第２送受信手段は、前記ＴＣＰの接続要求命令に従って、前記伝送路に接続された別の機器に対してＴＣＰ／ＩＰプロトコルで規定された手順で接続を行う、送受信方法。
【請求項６】
第１送受信手段とホストＣＰＵの間で、Ｅｔｈｅｒフレームのデータ送受信し、
前記ホストＣＰＵから第２送受信手段に対して、少なくともＴＣＰの接続待機命令を送信し、
前記第１送受信手段と前記第２送受信手段は同一伝送路上のデータ送受信を行い、
前記第２送受信手段は、前記ＴＣＰの接続待機命令に従って、前記伝送路に接続された別の機器に対してＴＣＰ／ＩＰプロトコルで規定された手順で接続が可能なように待機する状態に遷移する、送受信方法。
【請求項７】
請求項１に記載の送受信装置の、
前記第１送受信手段と前記ホストＣＰＵの間で、Ｅｔｈｅｒフレームのデータ送受信する第１のインタフェース手段、
前記ホストＣＰＵから前記第２送受信手段に対して、少なくともＴＣＰの接続要求命令を送信する第２のインタフェース手段、
前記ＴＣＰの接続要求命令に従って、前記伝送路に接続された別の機器に対してＴＣＰ／ＩＰプロトコルで規定された手順で接続を行う前記第２送受信手段、としてコンピュータを機能させるプログラム。
【請求項８】
請求項２に記載の送受信装置の、
前記第１送受信手段と前記ホストＣＰＵの間で、Ｅｔｈｅｒフレームのデータ送受信する第１のインタフェース手段、
前記ホストＣＰＵから前記第２送受信手段に対して、少なくともＴＣＰの接続待機命令を送信する第２のインタフェース手段、
前記ＴＣＰの接続待機命令に従って、前記伝送路に接続された別の機器に対してＴＣＰ／ＩＰプロトコルで規定された手順で接続が可能なように待機する状態に遷移する機能を備えた前記第２送受信手段、としてコンピュータを機能させるプログラム。
【請求項９】
請求項７又は請求項８に記載のプログラムを記録した記録媒体であって、コンピュータで利用可能な記録媒体。
【手続補正２】
【補正対象書類名】明細書
【補正対象項目名】０００７
【補正方法】変更
【補正の内容】
【０００７】
この様な問題を解決する方法として、特許文献１（特開２００４−１５９０３８号公報）は、図３の様にＡＶデータの様な緊急性のあるデータとそれ以外のデータを分離するフィルタ処理（図示せず）を設け、ＡＶデータはそのままコーデックへ送信し、それ以外のデータをホストＣＰＵで処理する方法が提案されている。この様に構成されたシステムの場合、データ量の多いＡＶデータを受信しても、ＣＰＵに対して割り込みが発生しないためシステムが安定に動作することが可能となる特徴がある。
【手続補正３】
【補正対象書類名】明細書
【補正対象項目名】０００９
【補正方法】変更
【補正の内容】
【０００９】
上述した図３に示された従来の実施例の場合には、ホストＣＰＵの負荷を低減するため、単に受信パケットのフィルタ処理を行いコーデックへデータを単純に送信する記述しかない。ＵＤＰの様な接続制御が不要なプロトコルの場合には、単に受信フィルタ１１３の設定をすれば簡単に実現できるため、本従来例は、ＵＤＰ伝送を想定して記述されている。
【特許文献１】特開２００４−１５９０３８号公報
【手続補正４】
【補正対象書類名】明細書
【補正対象項目名】００１３
【補正方法】変更
【補正の内容】
【００１３】
このように特許文献１に示されるような従来の送受信装置は、ＴＣＰの様な接続
制御やフロー制御が必要なプロトコルでＡＶ伝送を行う場合にはＣＰＵの処理負荷を著しく低下させることは出来なかった。
【手続補正５】
【補正対象書類名】明細書
【補正対象項目名】００１５
【補正方法】変更
【補正の内容】
【００１５】
第１の本発明は、
ホストＣＰＵと、
第１送受信手段と、
第２送受信手段と、
前記第１送受信手段と前記ホストＣＰＵの間で、Ｅｔｈｅｒフレームのデータ送受信する第１のインタフェース手段と、
前記ホストＣＰＵから前記第２送受信手段に対して、少なくともＴＣＰの接続要求命令を送信する第２のインタフェース手段と、を備え、
前記第１送受信手段と前記第２送受信手段は、同一伝送路上に対してデータ送受信を行い、
前記第２送受信手段は、前記ＴＣＰの接続要求命令に従って、前記伝送路に接続された別の機器に対してＴＣＰ／ＩＰプロトコルで規定された手順で接続を行う、送受信装置である。
【手続補正６】
【補正対象書類名】明細書
【補正対象項目名】００１６
【補正方法】変更
【補正の内容】
【００１６】
第２の本発明は、
ホストＣＰＵと、
第１送受信手段と、
第２送受信手段と、
前記第１送受信手段と前記ホストＣＰＵの間で、Ｅｔｈｅｒフレームのデータ送受信する第１のインタフェース手段と、
前記ホストＣＰＵから前記第２送受信手段に対して、少なくともＴＣＰの接続待機命令を送信する第２のインタフェース手段と、を備え、
前記第１送受信手段と前記第２送受信手段は同一伝送路上のデータ送受信を行い、
前記第２送受信手段は、前記ＴＣＰの接続待機命令に従って、前記伝送路に接続された別の機器に対してＴＣＰ／ＩＰプロトコルで規定された手順で接続が可能なように待機する状態に遷移する機能を備えた、送受信装置である。
【手続補正７】
【補正対象書類名】明細書
【補正対象項目名】００１７
【補正方法】変更
【補正の内容】
【００１７】
第３の本発明は、
前記第１送受信手段と前記第２送受信手段とは別の第３送受信手段をさらに備え、
前記第３送受信手段は、
前記第１送受信手段と前記第２送受信手段と前記同一伝送路上のデータ送受信を行う機能を備えると共に、
前記ホストＣＰＵとは、第３のインタフェース手段で接続され、
少なくともＴＣＰ／ＩＰプロトコルに従ったＡＣＫパケットを送信する機能を備えた、第１の本発明の送受信装置である。
【手続補正８】
【補正対象書類名】明細書
【補正対象項目名】００１８
【補正方法】変更
【補正の内容】
【００１８】
第４の本発明は、
前記第１送受信手段と前記第２送受信手段とは別の第３送受信手段をさらに備え、
前記第３送受信手段は、
前記第１送受信手段と前記第２送受信手段と前記同一伝送路上のデータ送受信を行う機能を備えると共に、
前記ホストＣＰＵとは、第３のインタフェース手段で接続され、
少なくとも、前記同一伝送路上に接続された前記別の機器から送信されてくるＡＣＫパケットを受信し、ＴＣＰ／ＩＰプロトコルに準拠したフロー制御を実施してデータを送信する機能を備えた、第２の本発明の送受信装置である。
【手続補正９】
【補正対象書類名】明細書
【補正対象項目名】００１９
【補正方法】変更
【補正の内容】
【００１９】
第５の本発明は、
第１送受信手段とホストＣＰＵの間で、Ｅｔｈｅｒフレームのデータ送受信し、
前記ホストＣＰＵから第２送受信手段に対して、少なくともＴＣＰの接続要求命令を送信し、
前記第１送受信手段と前記第２送受信手段は、同一伝送路上に対してデータ送受信を行い、
前記第２送受信手段は、前記ＴＣＰの接続要求命令に従って、前記伝送路に接続された別の機器に対してＴＣＰ／ＩＰプロトコルで規定された手順で接続を行う、送受信方法である。
【手続補正１０】
【補正対象書類名】明細書
【補正対象項目名】００２０
【補正方法】変更
【補正の内容】
【００２０】
第６の本発明は、
第１送受信手段とホストＣＰＵの間で、Ｅｔｈｅｒフレームのデータ送受信し、
前記ホストＣＰＵから第２送受信手段に対して、少なくともＴＣＰの接続待機命令を送信し、
前記第１送受信手段と前記第２送受信手段は同一伝送路上のデータ送受信を行い、
前記第２送受信手段は、前記ＴＣＰの接続待機命令に従って、前記伝送路に接続された別の機器に対してＴＣＰ／ＩＰプロトコルで規定された手順で接続が可能なように待機する状態に遷移する、送受信方法である。
【手続補正１１】
【補正対象書類名】明細書
【補正対象項目名】００２１
【補正方法】変更
【補正の内容】
【００２１】
第７の本発明は、第１の本発明の送受信装置の、
前記第１送受信手段と前記ホストＣＰＵの間で、Ｅｔｈｅｒフレームのデータ送受信する第１のインタフェース手段、
前記ホストＣＰＵから前記第２送受信手段に対して、少なくともＴＣＰの接続要求命令を送信する第２のインタフェース手段、
前記ＴＣＰの接続要求命令に従って、前記伝送路に接続された別の機器に対してＴＣＰ／ＩＰプロトコルで規定された手順で接続を行う前記第２送受信手段、としてコンピュータを機能させるプログラムである。
【手続補正１２】
【補正対象書類名】明細書
【補正対象項目名】００２２
【補正方法】変更
【補正の内容】
【００２２】
第８の本発明は、
前記第１送受信手段と前記ホストＣＰＵの間で、Ｅｔｈｅｒフレームのデータ送受信する第１のインタフェース手段、
前記ホストＣＰＵから前記第２送受信手段に対して、少なくともＴＣＰの接続待機命令を送信する第２のインタフェース手段、
前記ＴＣＰの接続待機命令に従って、前記伝送路に接続された別の機器に対してＴＣＰ／ＩＰプロトコルで規定された手順で接続が可能なように待機する状態に遷移する機能を備えた前記第２送受信手段、としてコンピュータを機能させるプログラムである。
【手続補正１３】
【補正対象書類名】明細書
【補正対象項目名】００２３
【補正方法】変更
【補正の内容】
【００２３】
第９の本発明は、第７又は第８の本発明のプログラムを記録した記録媒体であって、コンピュータで利用可能な記録媒体である。
【手続補正１４】
【補正対象書類名】明細書
【補正対象項目名】００６７
【補正方法】変更
【補正の内容】
【００６７】
また、本発明の記録媒体は、上述した本発明の送受信装置の手段等の全部又は一部の機能をコンピュータにより実行させるためのプログラムを記録した記録媒体であり、コンピュータにより読み取り可能且つ、読み取られた前記プログラムが前記コンピュータと協動して前記機能を実行する記録媒体である。